(57)【特許請求の範囲】
【請求項１】
遊技島の複数の遊技台及び遊技媒体貸出機に沿ってその背面または背面上部に設置する紙幣搬送装置は、
上流から下流端へと紙幣を搬送する搬送部と、
搬送部の下流端に設けられた他のユニットと連結するための連結部と、
搬送部の上流端に遊技媒体貸出機からの紙幣を取り込んで搬送部に合流させる合流部と、
合流部の上流端に合流部に対して固定保持される固定部と固定部に対して垂直な回転軸の周りに揺動可能に支持された可動部とを備えた搬送方向可変部と、
からユニットとして構成され、
搬送部の搬送ベルトと可動部の駆動プーリと固定部の可動プーリに巻回された搬送ベルトは、合流部の駆動ローラと共に連動し、
可動部の揺動時に可動部の駆動プーリが、ガイド軸の周りに回動すると共に、固定部の可動プーリが長手方向に沿って移動することにより搬送方向可変部内の搬送ベルトが常に張架されているように成した紙幣搬送装置であって、
上記搬送方向可変部が、一側にのみ揺動可能であると共に、上下に関して対称に構成されていることを特徴とする紙幣搬送装置。
【発明の詳細な説明】
【０００１】
【発明の属する技術分野】
本発明は、パチンコ機，スロットマシン等の遊技台が設置された遊技場にて、パチンコ玉，メダル等の遊技媒体の貸出を行なう遊技媒体貸出機に投入された紙幣を搬送するための、ユニット化された紙幣搬送装置に関するものである。
【０００２】
【従来の技術】
従来、遊技島は、複数の遊技台と、隣接する遊技台間に設置される遊技媒体貸出機とを直線状に配置することにより、構成されている。そして、遊技媒体貸出機に投入された紙幣は、複数の遊技台と複数の台間遊技媒体貸出機の背面または背面上部にて遊技島全体に亘って設けられた紙幣搬送装置により、遊技島の端部に設けられた島管理装置に搬送され、回収されるようになっている。
【０００３】
【発明が解決しようとする課題】
しかしながら、このような遊技台及び遊技媒体貸出機は、直線状に配置されるのみで、例えば曲線を含む変化のある遊技島の配置は実際には採用されていない。そして、紙幣搬送装置も直線状に配置された遊技島を前提としていることから、例えば円弧状，円状，Ｓ字状，Ｌ字状等の種々の形状の遊技島を配置したとしても、紙幣搬送装置がこのような形状の遊技島に対応することができない。
従って、種々の形状の遊技島により、店舗のイメージを変えたり、店舗のスペースを有効活用したり、あるいは既存のビル等の店舗スペースに新規開店しようとしても、店舗スペースの形状によっては、遊技島を配置することができないことがあった。
【０００４】
これに対して、紙幣搬送装置をユニット化して、種々の形状の遊技島の配置に対応できるようにした紙幣搬送装置が、本出願人による特開平１１−２６３４６７号公報により開示されている。
この紙幣搬送装置は、複数の遊技媒体貸出機からの紙幣を取り込んで合流させる合流部と、合流させた紙幣を搬送する搬送部と、この搬送部に回動自在に設けられた搬送方向を変化させる搬送方向調整体と、から構成されている。
【０００５】
しかしながら、この紙幣搬送装置においては、搬送方向調整体は、ジョイント部材の先端に取り付けられているため、その搬送方向が長くなる。従って、合流部の前方に搬送部及び搬送方向調整体が位置することになるため、重量配分にバラツキがあり、バランスが悪い。これにより、施工の際の取扱いが難しいという問題があった。
【０００６】
また、搬送方向調整体の搬送ベルトが、搬送部の搬送ベルトの駆動力によって駆動されるようになっているため、搬送方向調整体の搬送ベルトの駆動力が比較的小さくなってしまうので、搬送方向調整体における駆動効率が低下し、搬送速度が低下することになり、紙幣詰まりの恐れがあった。
【０００７】
本発明は、以上の点に鑑み、種々の形状の遊技島に対応して、遊技島の複数の遊技台及び遊技媒体貸出機に沿ってその背面または背面上部に設置することができると共に、紙幣が確実に搬送され、さらに重量バランスを向上させるようにした、ユニット式の紙幣搬送装置を提供することを目的としている。
【０００８】
【課題を解決するための手段】
上記目的は、本発明によれば、遊技島の複数の遊技台及び遊技媒体貸出機に沿ってその背面または背面上部に設置する紙幣搬送装置は、上流から下流端へと紙幣を搬送する搬送部と、搬送部の下流端に設けられた他のユニットと連結するための連結部と、搬送部の上流端に遊技媒体貸出機からの紙幣を取り込んで搬送部に合流させる合流部と、合流部の上流端に合流部に対して固定保持される固定部と固定部に対して垂直な回転軸の周りに揺動可能に支持された可動部とを備えた搬送方向可変部と、からユニットとして構成され、搬送部の搬送ベルトと可動部の駆動プーリと固定部の可動プーリに巻回された搬送ベルトは、合流部の駆動ローラと共に連動し、可動部の揺動時に可動部の駆動プーリが、ガイド軸の周りに回動すると共に、固定部の可動プーリが長手方向に沿って移動することにより搬送方向可変部内の搬送ベルトが常に張架されているように成した紙幣搬送装置であって、上記搬送方向可変部が、一側にのみ揺動可能であると共に、上下に関して対称に構成されていることにより、達成される。
【００１２】
上記構成によれば、遊技島を構成する複数の遊技台及び遊技媒体貸出機に沿ってその背面または背面上部にそれぞれ紙幣搬送装置を配置し、一つの紙幣搬送装置の下流端に取り付けられた連結部を、下流側に隣接する他の紙幣搬送装置の上流端の搬送方向可変部の可動部に対して接続する。その際、搬送方向可変部の可動部を遊技島の形状に対応して、固定部に対して回転軸の周りに揺動させる。
このようにして、各紙幣搬送装置を順次に接続することにより、遊技島の形状に沿って紙幣搬送装置が設置されることになる。
【００１３】
この場合、搬送方向可変部が、搬送部の上流端にて合流部に隣接して揺動可能に取り付けられているので、比較的重量の大きい合流部と搬送方向可変部が、互いに接近して配置されることになるので、搬送部の上流端即ち合流部付近にて重量バランスが良好になる。従って、施工の際の紙幣搬送装置の取扱いが容易になる。
また、搬送方向可変部において、搬送ベルトが合流部の駆動ローラと共に、連動駆動されるので、上記搬送ベルトに伝達される駆動力が十分大きい。これにより、搬送方向可変部の搬送ベルトが紙幣を確実に搬送することになると共に、紙幣詰まりの発生が抑制され得ることになる。
【００１４】
上記搬送方向可変部が、可動部の駆動プーリと固定部の可動プーリに巻回された搬送ベルトを備えており、可動部の揺動時に、可動部の駆動プーリが、ガイド軸の周りに回動すると共に、固定部の可動プーリが長手方向に沿って移動することにより、駆動プーリ及び可動プーリに巻回された搬送ベルトが常に張架されることになる。従って、可動部が揺動したとしても、その揺動角度にかかわらず、搬送ベルトは常に張架されているので、紙幣は確実に搬送ベルトにより搬送されることになる。
【００１５】
上記搬送方向可変部の固定部の少なくとも一方が、開閉可能に取り付けられたメンテナンスドアを備えている場合には、搬送方向可変部の内部で紙幣詰まり等が発生したとき、このメンテナンスドアを開放することにより、搬送方向可変部の内部を容易に確認し、紙幣を取除くことができる。
【００１６】
上記搬送方向可変部が、一側にのみ揺動可能であると共に、上下に関して対称に構成されている場合には、一側にのみ揺動可能であることにより、構成が簡略化され、部品コスト及び組立コストが低減され得ると共に、設置すべき遊技島の形状に対応して、搬送方向可変部を天地逆転させることにより、遊技島の複数の遊技台及び遊技媒体貸出機に沿ってその背面または背面上部に紙幣搬送装置を設置することができる。これにより、それぞれ左側または右側に揺動する二種類の専用の搬送方向可変部を用意する必要がないことから、共通部品の使用と量産効果によって、より一層コストが低減され得ることになる。
【００１７】
【発明の実施の形態】
以下、図面に示した実施形態に基づいて、本発明を詳細に説明する。
図１は、本発明による紙幣搬送装置が使用される遊技島を示している。
図１において、遊技島１には、複数台の遊技台（例えばスロットマシン）２が、所定形状に並んで配列されていると共に、互いに隣接する二台の遊技台２の間毎に、縦長薄型の遊技媒体貸出機（例えばメダル貸出機）３が設けられている。
さらに、各遊技媒体貸出機３に投入された紙幣を収納するために、遊技台２の背面には、紙幣搬送部４が設けられており、この紙幣搬送部４によって、遊技島１の端部に設けられた島管理装置５に搬送され、収納されるようになっている。
尚、スロットマシンによる遊技台の場合、その構造上、遊技台の基盤（背面）を前面に開くことができず、そのため、メンテナンス上から上記紙幣搬送部４は、遊技台２及び遊技媒体貸出機３の背面上部に配置されている。
また、遊技島１は、前後に遊技台２を配置し、互いに隣接する二台の遊技台２の間毎に、縦長薄型の遊技媒体貸出機３が設けられる所謂両島として構成されたり、店舗の壁面に沿って配列される所謂壁島として構成されるものである。
【００１８】
ここで、上記紙幣搬送部４は、各遊技台２の上側で遊技台２に沿って設けられた個々の紙幣搬送装置１０が互いに連結されることにより、構成されている。
紙幣搬送装置１０は、遊技島１の形状に対応して、所謂壁島の例を示し、図２（Ａ）または（Ｂ）に示すように、構成されている。
即ち、島管理装置５側（即ち下流側）から見て右側に壁面Ｗがある場合には、紙幣搬送部４は、図２（Ａ）に示すように右島用として構成され、下流に向かって右曲がりに設置される。また、島管理装置５側から見て左側に壁面Ｗがある場合には、紙幣搬送部４は、図２（Ｂ）に示すように左島用として構成され、下流に向かって左曲がりに設置される。
【００１９】
ここで、右島用の紙幣搬送装置１０と左島用の紙幣搬送装置１０は、同様の構成であるので、以下に先づ右島用の紙幣搬送装置１０について説明する。
図３に示すように、紙幣搬送装置１０は、ユニットとして構成されており、紙幣搬送方向（以下、長手方向、即ち図中右側から左側へと）に関して上流端に合流部２０を備え且つ長手方向に延びる搬送部３０と、合流部２０の上流端に設けられた固定部４０及び可動部５０から成る搬送方向可変部１１とを含んでいる。
【００２０】
上記合流部２０は、図４（Ｂ）に示すように、長手方向に関してその両側の少なくとも一方（図示の場合、両側に設けて上記両島に対応する場合を示す）に紙幣受入口２１と、この紙幣受入口２１からの紙幣を取り込み、及び上流側からの紙幣を下流側に搬送するための合流搬送路２２と、を備えている。
【００２１】
上記紙幣受入口２１及び合流搬送路２２の合流点付近には、紙幣送り用の駆動ローラ２４，２５及び取込みローラ２６が設けられている。
尚、駆動ローラ２４，２５は、遊技媒体貸出機３に投入された紙幣を取り込む取込みローラでもある。
駆動ローラ２４，２５は、その回転軸の一端に設けられた駆動歯車２４ａ，２５ａが互いに噛合すると共に、駆動ローラ２４の駆動プーリ２４ｂが、取込みローラ２６の回転軸の一端に設けられた駆動プーリ２６ａと駆動ベルト２７を介して連結されている。
また、駆動ローラ２４の回転軸は、駆動モータ２３（図４（Ａ）参照）により、図示しない駆動機構を介して回転駆動されるようになっている。
【００２２】
これにより、各紙幣受入口２１からの紙幣が、それぞれ駆動ローラ２４，２５により合流搬送路２２に取り込まれると共に、上流側から合流搬送路２２に進入する紙幣が、取込みローラ２６により合流搬送路２２内に取り込まれるようになっている。
【００２３】
上記搬送部３０は、公知の構成であって、図４（Ａ）及び（Ｂ）に示すように、長手方向に沿って配設された関節状のガイドから成る搬送路３１を備えており、図示しない無端搬送ベルトにより搬送路３１内に沿って紙幣を下流側に向かって搬送するようになっている。
さらに、搬送部３１は、その下流端に連結部３２を有している。
この連結部３２は、搬送部３１の外面に沿って長手方向に移動可能に支持され、下流側に接続されるべき紙幣搬送装置１０の上流端を構成する搬送方向可変部１１の可動部５０または遊技島１の下流端の島管理装置５の紙幣搬入口に連結されるようになっている。
【００２４】
上記搬送方向可変部１１のうち、固定部４０は、図５に示すように、その下流端が、搬送部３０の合流部２０の上流端に着脱可能に取り付けられると共に、その上流端には、可動部５０が回転軸５２の周りに揺動可能に支持されている。
この可動部５０は、図３（Ａ）及び図５に示す真っ直の位置から、図６に示すように、上流端から見て右方に約９０度まで揺動可能であるが、これに制限されるものではなく、９０度以上揺動可能であっても何ら問題はない。
尚、後述するようにこの可動部５０は、固定部４０を上下反転されることにより、図１１に示すように上流端から見て左方に揺動することもできるようになっている。
【００２５】
上記固定部４０は、図５（Ｂ）に示すように、固定部４０を長手方向に通過する搬送路４１に隣接して、可動プーリ４２を備えている。
この可動プーリ４２は、固定部４０のフレーム４３に設けられたガイド溝４３ａに沿って長手方向に摺動可能に支持された摺動部材４４に支持されており、この摺動部材４４は、引張りバネ４５により下流側に向かって付勢されている。
さらに、上記固定部４０は、可動プーリ４２に対向し、搬送路４１の両側（図においては上下）に、それぞれガイド板４６及びテンションローラ４７、さらにはメンテナンスドア４８を備えている。
ガイド板４６は、フレーム４３から内側に突出するように形成されている。
テンションローラ４７は、図示しない支持手段により回転可能に支持されると共に、搬送路４１に向かって付勢されている。
尚、固定部４０は、そのフレーム４３の側面に、メンテナンスドア４８を備えており、このメンテナンスドア４８を開放することにより、内部を確認し、搬送路内で詰まった紙幣を取除いたり、他のメンテナンス作業を行なうことができるようになっている。
【００２６】
上記搬送方向可変部１１の可動部５０は、前述したように上記回転軸５２の周りに揺動可能に支持されていると共に、回転軸５２に取り付けられたプーリ５２ａが、前記合流部２０の取込みローラ２６の駆動プーリ２６ａに対して駆動ベルト５３を介して連結されている。
また、可動部５０は、回転軸５２に対して搬送路４１を挟んで対向するように駆動軸５１を備えている。
駆動軸５１は、その上端のプーリ５１ａが、上記回転軸５２のプーリ５２ａに対して駆動ベルト５７（図３（Ａ）参照）を介して連結され、合流部２０の下面に取り付けられた駆動モータ２３の回転駆動が、駆動歯車２４ａに伝達されると共に、該駆動歯車２４ａと歯合した駆動歯車２５ａが逆方向に同一速度で回転される。
且つ、駆動プーリ２４ｂ，２６ａ間に装着された駆動ベルト２７によって駆動プーリ２６ａが同一方向に同一速度で回転する。
さらに、駆動ベルト５３，プーリ５２ａ及び駆動ベルト５７を介して搬送方向可変部１１の可動部５０に設けられた駆動プーリ５１ａが駆動モータ２３の回転駆動を伝達駆動されている。
【００２７】
さらに、可動部５０は、図８に詳細に示されているように、上記駆動軸５１の中間に互いに隔置された二個の駆動搬送プーリ５１ｂを有し、上記回転軸５２と軸芯を同じくして固定部４０のフレーム４３の上下板に回転自在にガイド軸５８を有し、このガイド軸５８は、上記駆動軸５１の二個の駆動搬送プーリ５１ｂに対向して二個のガイドローラ５８ａを備えており、さらに駆動軸５１の下流側に方向転換時に搬送ベルト５６をガイドするガイドプーリ５５を備えている。この場合、駆動軸５１及びガイドプーリ５５は、それぞれ、ガイド軸５８の同心円上に配置されている。
そして、上記駆動プーリ５１ｂと可動プーリ４２との間に、ガイドローラ５８ａ及びガイドプーリ５５を介して、搬送ベルト５６が巻回されている。
ここで、搬送方向可変部１１の可動部５０がガイド軸５８の周りに揺動されると、図３（Ｂ），図８及び図９に示すように、上記駆動プーリ５１ｂがガイド軸５８の周りに回転することになり、これに伴ってガイドプーリ５５もガイド軸５８の周りに回転し、搬送ベルト５６により可動プーリ４２が引張りバネ４５の張力に抗して上流側に移動する。そして、可動部５０が図６に示すように、例えば９０度揺動した場合にあっても、これにより、搬送ベルト５６が弛むことなく、引張りバネ４５により常に付勢された状態に保持されることになる。
【００２８】
次に、左島用の紙幣搬送装置１０は、図３乃至図９に示した右島用の紙幣搬送装置とほぼ同様の構成であり、搬送方向可変部１１のみが異なる構成になっている。
ここで、左島用の紙幣搬送装置１０の搬送方向可変部１１は、その構成部品が右島用の紙幣搬送装置１０の搬送方向可変部１１と同じであり、固定部４０及び可動部５０のフレームが上下反転して使用されていると共に、駆動軸５１のプーリ５１ａと回転軸５２のプーリ５２ａ間に懸け渡された駆動ベルト５７に代えて、可動部５０の回転軸５２に取り付けられた歯車５２Ｃが、図１０乃至図１１に示すように、駆動軸５１に取り付けられた歯車５１ｃと噛合するようになっている。
これにより、左島用の紙幣搬送装置１０において、搬送方向可変部１１の可動部５０は、図１１に示すように、上流端から見て左方に約９０度まで揺動可能に構成されている。
【００２９】
本発明実施形態による装置１０は、以上のように構成されており、以下に示すように動作する。
紙幣搬送装置１０において、駆動モータ２３により、駆動歯車２４ａ（駆動ローラ２４）が回転駆動される。これにより、該駆動歯車２４ａと歯合した駆動歯車２５ａ（駆動ローラ２５）が逆方向に同一速度で回転する。
且つ、駆動プーリ２４ｂと２６ａの間に装着された駆動ベルト２７によって駆動プーリ２６ａ（取込みローラ２６）が同一方向に同一速度で回転する。
さらに、駆動ベルト５３を介して回転軸５２のプーリ５２ａそして駆動軸５１のプーリ５１ａが回転駆動される。これにより、可動部５０の駆動プーリ５１ｂが、合流部２０の駆動モータ２３により、直接的に回転駆動されるので、駆動力が比較的大きい。従って、駆動プーリ５１ｂにより駆動される搬送ベルト５６によって、紙幣が確実に搬送されることになる。
【００３０】
そして、図２にて他の紙幣搬送装置１０から進入する紙幣は、紙幣搬送装置１０の上流端にて、搬送方向可変部１１の可動部５０の駆動軸５１の駆動プーリ５１ｂとガイドローラ５８の間に進入して、搬送ベルト５６により搬送され、固定部４０内にて、ガイド板４６とテンションローラ４７との間を通って、合流部２０に進入する。
【００３１】
そして、合流部２０の合流搬送路２２内に進入した紙幣は、取込みローラ２６により下流側に向かって搬送され、また紙幣受入口２１から合流搬送路２２内に進入した紙幣は、駆動ローラ２４または２５により下流側に向かって搬送され、搬送部３０の搬送路３１内に進入する。
最後に、紙幣は、搬送路３１内で下流側に向かって搬送され、次の紙幣搬送装置１０または遊技島１の端部の島管理装置５に受け渡される。
【００３２】
ここで、搬送部３０の上流端に合流部２０が備えられると共に、搬送方向可変部１１が取り付けられているので、搬送部３０の上流端付近に、比較的重い合流部２０及び搬送方向可変部１１が位置することになり、重量バランスが良好になっている。従って、紙幣搬送装置１０の設置作業が容易に行なわれ得ると共に、搬送方向可変部１１の可動部の上流端に対して、上流側の紙幣搬送装置１０の搬送部３０の下流端の連結部３２を連結することにより、容易に且つ確実に紙幣搬送装置１０が連結され、紙幣搬送部４を構成することができる。連結部３２の連結は、互いに隣接する紙幣搬送装置１０を位置合わせした後、連結部３２を搬送部３０の長手方向に沿って摺動させることにより、連結部３２の下流端を、下流側の紙幣搬送装置１０の搬送方向可変部１１の可動部５０に対して接続することにより、容易に行なわれる。
【００３３】
その際、紙幣搬送部を遊技島１の形状に対応して、屈曲させる場合、その屈曲方向に合わせて、右島用または左島用の紙幣搬送装置１０を使用することにより、所望の形状の紙幣搬送部４を構成することが可能である。
このとき、右島用と左島用の紙幣搬送装置１０は、共通の部品を使用することにより、構成されているので、部品点数が少なくて済み、大量生産により、コストが低減され得ることになる。
【００３４】
また、搬送方向可変部１１の固定部４０または可動部５０内で紙幣詰まり等が発生した場合には、固定部４０のメンテナンスドア４８を開放することにより、搬送方向可変部１１の内部を容易に確認することができ、詰まった紙幣を取除く等のメンテナンス作業を容易に行なうことができる。
【００３５】
上述した実施形態においては、搬送ベルト５６は、上下二段に設けられているが、これに限らず、一本の搬送ベルト５６のみが設けられていてもよいことは明らかである。
【００３６】
【発明の効果】
以上述べたように、本発明によれば、遊技島を構成する複数の遊技台及び遊技媒体貸出機の背面側に沿ってそれぞれ紙幣搬送装置を配置し、一つの紙幣搬送装置の下流端に取り付けられた連結部を、下流側に隣接する他の紙幣搬送装置の上流端の搬送方向可変部の可動部に対して接続する。その際、搬送方向可変部の可動部を遊技島の形状に対応して、固定部に対して回転軸の周りに揺動させる。
このようにして、各紙幣搬送装置を順次に接続することにより、遊技島の形状に沿って紙幣搬送装置が設置されることになる。
【００３７】
この場合、搬送方向可変部が、搬送部の上流端にて合流部に隣接して揺動可能に取り付けられているので、比較的重量の大きい合流部と搬送方向可変部が、互いに接近して配置されることになるので、搬送部の上流端付近にて重量バランスが良好になる。従って、施工の際の紙幣搬送装置の取扱いが容易になる。
また、搬送方向可変部の搬送ベルトが合流部の駆動ローラと共に、共通の駆動部により直接に駆動されるので、搬送ベルトに伝達される駆動力が十分大きい。これにより、搬送ベルトが紙幣を確実に搬送することになると共に、紙幣詰まりの発生が抑制され得ることになる。
【００３８】
かくして、本発明によれば、種々の形状の遊技島に対応して、遊技島の複数の遊技台及び遊技媒体貸出機に沿ってその背面または背面上部に設置することができると共に、紙幣が確実に搬送され、さらに重量バランスを向上させるようにした、ユニット式の紙幣搬送装置が提供され得ることになる。
【図面の簡単な説明】
【図１】スロットマシンによる遊技島の一例の構成を示す概略斜視図である。
【図２】本発明による紙幣搬送装置の一実施形態を壁島に供した状態を示し、（Ａ）は右島用、及び（Ｂ）は左島用の設置状態を示す平面図である。
【図３】図２（Ａ）の右島用の紙幣搬送装置の合流部及び搬送方向可変部のカバーを除いた状態を示し、（Ａ）は平面図、及び（Ｂ）は搬送方向可変部可動部が９０度より小角度で回動した状態の平面図である。
【図４】図３の紙幣搬送装置を示し、（Ａ）は正面図、及び（Ｂ）は（Ａ）の４Ｂ−４Ｂ線断面図である。
【図５】図３の紙幣搬送装置における搬送方向可変部を示し、（Ａ）は正面図、及び（Ｂ）は断面図である。
【図６】図５の搬送方向可変部の可動部を９０度だけ回動した状態を示し、（Ａ）は正面図，（Ｂ）は（Ａ）の６Ｂ−６Ｂ線断面図、及び（Ｃ）は背面図である。
【図７】図６の搬送方向可変部を背面側から見た斜視図である。
【図８】図５の搬送方向可変部の可動部を９０度より小角度だけ回動した状態を示す背面側から見た一部破断斜視図である。
【図９】図３の紙幣搬送装置の合流部及び搬送方向可変部の可動部を９０度より小角度だけ回動してカバーを省略した状態を示す背面側から見た斜視図である。
【図１０】図２（Ｂ）の右島用の紙幣搬送装置の合流部及び搬送方向可変部のカバーを除いた状態を示し、可動部が９０度より小角度で回動した状態の平面図である。
【図１１】図１０の紙幣搬送装置における搬送方向可変部の可動部を９０度だけ回動した状態を示し、（Ａ）は正面図，（Ｂ）は（Ａ）の１１Ｂ−１１Ｂ線断面図、及び（Ｃ）は背面図である。
【符号の説明】
１０      紙幣搬送装置
１１      搬送方向可変部
２０      合流部
２４，２５      駆動ローラ
２６      取込みローラ
２７      駆動ベルト
３０      搬送部
４０      固定部
４１      搬送路
４２      可動プーリ
４３      フレーム
４３ａ      ガイド溝
４４      摺動部材
４５      引張りバネ
４８      メンテナンスドア
５０      可動部
５１      駆動軸
５２      回転軸
５３，５７      駆動ベルト
５５      ガイドプーリ
５６      搬送ベルト
５８      ガイド軸
【図１】
0004758009.tif 000002
【図２】
0004758009.tif 000003
【図３】
0004758009.tif 000004
【図４】
0004758009.tif 000005
【図５】
0004758009.tif 000006
【図６】
0004758009.tif 000007
【図７】
0004758009.tif 000008
【図８】
0004758009.tif 000009
【図９】
0004758009.tif 000010
【図１０】
0004758009.tif 000011
【図１１】
0004758009.tif 000012